(57)【特許請求の範囲】
【請求項１】
作業機械に装着されるアタッチメント装置に作動油を供給するベース油圧回路と、
前記ベース油圧回路に設けられ、前記ベース油圧回路を介して前記アタッチメント装置に供給される作動油の流量及び流通方向を制御する制御弁と、
前記制御弁よりも上流側の前記ベース油圧回路から分岐形成され、前記制御弁を迂回して前記アタッチメント装置に作動油を供給する優先回路と、
前記ベース油圧回路及び前記優先回路の分岐部に設けられ、前記優先回路を介して前記アタッチメント装置に供給される作動油の流量を優先的に確保する優先弁と、
前記優先回路が接続された前記ベース油圧回路から分岐形成され、作動油を作動油タンクにリリーフするリリーフ回路と、
前記リリーフ回路に設けられ、前記優先弁で優先的に確保された前記優先回路側の流量に応じて、リリーフ圧を変更するリリーフ弁と
を備えたことを特徴とする、作業機械の油圧制御回路。
【請求項２】
前記優先弁と前記リリーフ弁とを電子制御する制御手段を備え、
前記制御手段が、
前記アタッチメント装置の種類に応じて前記優先弁を制御するとともに、
前記優先回路を介して作動油が優先供給されているときの前記リリーフ圧が、優先供給されていないときの前記リリーフ圧よりも高圧となるように、前記リリーフ弁を制御する
ことを特徴とする、請求項１記載の作業機械の油圧制御回路。
【請求項３】
前記優先回路が接続されていない前記ベース油圧回路から分岐形成され、作動油を作動油タンクにリリーフするタンクラインと、
前記タンクラインに設けられ、前記優先弁で優先的に確保された前記優先回路側の流量に応じて、開度を変更するリターン用切換弁とを備え、
前記制御手段が、
前記優先回路を介して作動油が優先供給されているときに前記リターン用切換弁を開放し、優先供給されていないときに前記リターン用切換弁を閉鎖する
ことを特徴とする、請求項２記載の作業機械の油圧制御回路。
【請求項４】
前記制御弁よりも下流側の前記ベース油圧回路から分岐して前記作動油タンクに連通するフィルタ回路と、
前記フィルタ回路に設けられ、作動油に混入したコンタミネーションを除去するフィルタと、
前記フィルタ回路の前記フィルタよりも上流側に設けられるフィルタ用切換弁とを備え、
前記制御手段が、前記アタッチメント装置の種類に応じて前記フィルタ用切換弁を制御する
ことを特徴とする、請求項２又は３記載の作業機械の油圧制御回路。
【請求項５】
前記フィルタ回路の前記フィルタよりも下流側に設けられる第二フィルタ用切換弁を備え、
前記制御手段が、
前記ベース油圧回路を介して作動油が供給されているときに、前記フィルタ用切換弁及び前記第二フィルタ用切換弁側から前記ベース油圧回路側への作動油の流通を許容し、
前記ベース油圧回路を介して作動油が供給されていないときに、前記フィルタ用切換弁及び前記第二フィルタ用切換弁側から前記ベース油圧回路側への作動油の流通を禁止する
ことを特徴とする、請求項４記載の作業機械の油圧制御回路。
【請求項６】
前記制御手段が、前記アタッチメント装置として、
ツインヘッダの使用時に、前記優先回路を介した作動油の優先供給を実施し、
ブレーカの使用時に、前記優先回路を介した作動油の優先供給を不実施とする
ことを特徴とする、請求項２〜５の何れか１項に記載の作業機械の油圧制御回路。
【請求項７】
前記作業機械に装着された前記アタッチメント装置の種類を検出する検出手段をさらに備え、
前記制御手段が、前記検出手段で検出された前記アタッチメント装置の種類に応じて制御を実施する
ことを特徴とする、請求項２〜６の何れか１項に記載の作業機械の油圧制御回路。
【発明の詳細な説明】
【技術分野】
【０００１】
本発明は、油圧ショベルに代表される作業機械において、作動に必要な作動油の流量及び圧力が異なるアタッチメント装置を交換して使用するのに適した油圧制御回路に関する。
【背景技術】
【０００２】
従来、油圧ショベルでは、要求される機能や能力に応じて、アタッチメント装置の交換が可能なものが市販されている。例えば、トンネル内での掘削作業において土砂や軟岩を掘削するときには、作業装置の先端にツインヘッダやクラッシャ等が装着される。一方、硬岩やコンクリート等を掘削するときには、それらの代わりにブレーカ等が装着される（特許文献１参照）。
【０００３】
アタッチメント装置は、その種類や作動モード等に応じて、作動に必要な作動油流量や許容される作動油圧の上限値が異なる。例えば、ツインヘッダはブレーカと比較して大流量のアクチュエータを内蔵しており、供給可能な作動油圧の上限値も高圧である。
このように、作動油流量，作動油圧の異なる複数のアタッチメント装置に対応するための油圧回路として、図８及び図９に示すような併用式油圧回路が知られている。図８はアタッチメント装置としてツインヘッダを使用する場合の油圧回路であり、図９はブレーカを使用する場合の油圧回路である。
【０００４】
図８，９中の符号ＣBは、油圧ポンプから吐出された作動油をアタッチメント装置側へ供給するための作動油通路であり、コントロールバルブユニット内のアタッチメント用電磁制御弁４３とアタッチメント装置との間を接続する通路（ベース油圧回路）である。一方、符号ＣPは、コントロールバルブユニットを経由せずに作動油をアタッチメント装置に供給するための優先回路である。
【０００５】
ベース油圧回路ＣBには、アタッチメント装置からの戻り油を作動油タンク側へ導く二本の通路が分岐形成されており、それぞれをタンクラインＬT，リリーフ回路ＣRと呼ぶ。タンクラインＬT上には電磁切換弁４６が設けられ、リリーフ回路ＣR上には電磁切換弁４５及びリリーフ弁４７が設けられる。これらの電磁切換弁４５，４６は、タンクラインＬT，リリーフ回路ＣRへの戻り油の流通を許可又は禁止するための切換弁である。
また、優先回路ＣPには、回路内の作動油を直接作動油タンク側へ導く通路が分岐形成され、その分岐通路上に電磁切換弁４４を有している。
【０００６】
このような併用式油圧回路を備えた油圧ショベルのアタッチメント装置としてツインヘッダが装着されている場合、ツインヘッダの使用時（正転使用時）には、ツインヘッダ用油圧モータ３２に大量の作動油を供給する必要がある。そのため、図示しない他の油圧シリンダ等よりも優先して作動油を供給するための優先回路ＣPがツインヘッダ用油圧モータ３２に接続され、作動油流量が確保される。図８に示すように、優先回路ＣPからツインヘッダ用油圧モータ３２に供給された作動油は、タンクラインＬTを通って作動油タンクに戻る。
【０００７】
一方、ブレーカを駆動するブレーカ用油圧アクチュエータ３４は、ツインヘッダ用油圧モータ３２ほど大量の作動油を要求せず、ブレーカ使用時には優先回路ＣPから作動油を供給する必要がない。そのため、図９に示すように、コントロールバルブユニット内のアタッチメント用電磁制御弁４３を経由する通常の経路であるベース油圧回路ＣBから作動油が供給され、その後、タンクラインＬTとアタッチメント用電磁制御弁４３を経由する経路（ベース油圧回路ＣB）との二経路で作動油タンクに戻る。
【０００８】
ブレーカ用油圧アクチュエータ３４は、単方向に供給される作動油を受けて内部切換弁機構によりブレーカを往復駆動する。また、油圧回路内の作動油の流れは、油圧回路に介装されたソレノイド式のバルブ４３〜４６のスプール位置をコントローラ（図示略）が電子制御することで設定されるようになっている。また、ツインヘッダ用油圧モータ３２及びブレーカ用油圧アクチュエータ３４の供給ラインの手前の位置にはリリーフ回路ＣRが設けられ、各油圧アクチュエータ３２，３４を過大な油圧から保護している。
なお、アタッチメント装置の種類に応じて作動油の供給量を変更可能とした油圧回路としては、特許文献１に記載のものが知られている。
【先行技術文献】
【特許文献】
【０００９】
【特許文献１】特開２００５−３３６８４９号公報
【発明の概要】
【発明が解決しようとする課題】
【００１０】
ところで、ブレーカの使用時には作業中に作動油に粉塵等のコンタミネーション（コンタミ）が侵入しやすく、一方、ツインヘッダはコンタミが侵入する構造ではないため、ブレーカの使用時にのみ有効に機能するリターンフィルタの装着が望まれている。しかしながら、図８及び図９に示すような併用式油圧回路では、ブレーカの使用時にのみ作動油が流通するような流路がなく、リターンフィルタを設けることができない。
【００１１】
また、ツインヘッダの使用時とブレーカの使用時とでは作動に必要な油量や油圧の大きさが異なる。そのため、アタッチメント装置を交換したときには、リリーフ回路ＣRに設けられるリリーフバルブ４７の設定圧（リリーフ圧）を各アタッチメント装置に適した大きさに変更する必要がある。しかしながら、このようなリリーフバルブ４７の圧力設定は作業者に委ねられており、作業者の負担になっている。
【００１２】
本発明はこのような課題に鑑み案出されたもので、アタッチメント装置の交換作業に伴う圧力設定の労力を軽減し、アタッチメント装置が要求する作動油流量及び作動油圧等に応じた油圧制御を容易とする作業機械の油圧制御回路を提供することを目的の一つとする。
【課題を解決するための手段】
【００１３】
開示の作業機械の油圧制御回路は、作業機械に装着されるアタッチメント装置に作動油を供給するベース油圧回路と、前記ベース油圧回路を介して前記アタッチメント装置に供給される作動油の流量及び流通方向を制御する制御弁とを備える。また、前記制御弁よりも上流側の前記ベース油圧回路から分岐形成され、前記制御弁を迂回して前記アタッチメント装置に作動油を供給する優先回路と、前記ベース油圧回路及び前記優先回路の分岐部に設けられ、前記優先回路を介して前記アタッチメント装置に供給される作動油の流量を優先的に確保する優先弁とを備える。さらに、前記優先回路が接続された前記ベース油圧回路から分岐形成され、作動油を作動油タンクにリリーフするリリーフ回路と、前記リリーフ回路に設けられ、前記優先弁で優先的に確保された前記優先回路側の流量に応じて、リリーフ圧を変更するリリーフ弁とを備える。
【００１４】
また、前記優先弁と前記リリーフ弁とを電子制御する制御手段を備えることが好ましい。前記制御手段は、前記アタッチメント装置の種類に応じて前記優先弁を制御する。さらに、前記制御手段は、前記優先回路を介して作動油が優先供給されているときの前記リリーフ圧が、優先供給されていないときの前記リリーフ圧よりも高圧となるように、前記リリーフ弁を制御する。
【００１５】
また、前記優先回路が接続されていない前記ベース油圧回路から分岐形成され、作動油を作動油タンクにリリーフするタンクラインと、前記タンクラインに設けられ、前記優先弁で優先的に確保された前記優先回路側の流量に応じて、開度を変更するリターン用切換弁とを備えることが好ましい。前記制御手段は、前記優先回路を介して作動油が優先供給されているときに前記リターン用切換弁を開放し、優先供給されていないときに前記リターン用切換弁を閉鎖する。
【００１６】
また、前記制御弁よりも下流側の前記ベース油圧回路から分岐して前記作動油タンクに連通するフィルタ回路と、前記フィルタ回路に設けられ、作動油に混入したコンタミネーションを除去するフィルタと、前記フィルタ回路の前記フィルタよりも上流側に設けられるフィルタ用切換弁とを備えることが好ましい。前記制御手段は、前記アタッチメント装置の種類に応じて前記フィルタ用切換弁を制御する。
【００１７】
また、前記フィルタ回路の前記フィルタよりも下流側に設けられる第二フィルタ用切換弁を備えることが好ましい。前記制御手段は、前記ベース油圧回路を介して作動油が供給されているときに、前記フィルタ用切換弁及び前記第二フィルタ用切換弁側から前記ベース油圧回路側への作動油の流通を許容する。さらに、前記制御手段は、前記ベース油圧回路を介して作動油が供給されていないときに、前記フィルタ用切換弁及び前記第二フィルタ用切換弁側から前記ベース油圧回路側への作動油の流通を禁止する。
【００１８】
なお、前記制御手段が、前記アタッチメント装置として、ツインヘッダの使用時に、前記優先回路を介した作動油の優先供給を実施し、ブレーカの使用時に、前記優先回路を介した作動油の優先供給を不実施とすることが好ましい。
また、前記作業機械に装着された前記アタッチメント装置の種類を検出する検出手段をさらに備え、前記制御手段が、前記検出手段で検出された前記アタッチメント装置の種類に応じて制御を実施することが好ましい。
【発明の効果】
【００１９】
開示の作業機械の油圧制御回路によれば、優先回路からアタッチメント装置に供給される作動油の流量に応じてリリーフ圧を変更することにより、優先制御時の過昇圧を確実に防止することができ、油圧回路を保護することができる。したがって、アタッチメント装置の交換作業に伴う圧力設定の労力を軽減することができ、アタッチメント装置が要求する作動油流量及び作動油圧等に応じた油圧制御を容易とすることができる。
【図面の簡単な説明】
【００２０】
【図１】本発明の一実施形態に係る作業機械の油圧制御回路の構成を模式的に示す油圧回路図である。
【図２】本油圧制御回路に係る制御ブロック図である。
【図３】本油圧制御回路の制御用のコントローラに記憶されたテーブルである。
【図４】本油圧制御回路のブレーカ使用時の状態を示す油圧回路図である。
【図５】本油圧制御回路のツインヘッダ正転使用時の状態を示す油圧回路図である。
【図６】本油圧制御回路のツインヘッダ逆転使用時の状態を示す油圧回路図である。
【図７】本油圧制御回路が適用された油圧ショベルを示す側面図である。
【図８】従来技術に係る作業機械の油圧回路図であって、ツインヘッダ（正転）使用時を示す。
【図９】従来技術に係る作業機械の油圧回路図であって、ブレーカ使用時を示す。
【発明を実施するための形態】
【００２１】
以下、図面を参照して作業機械の油圧制御回路の実施形態を説明する。ただし、以下に示す実施形態は、あくまでも例示に過ぎず、以下に示す実施形態で明示しない種々の変形や技術の適用を排除する意図はない。すなわち、その趣旨を逸脱しない範囲で本実施形態を種々変形して実施してもよい。
【００２２】
［１．油圧ショベル構成］
本実施形態の油圧制御回路は、図７に示すような油圧ショベル（作業機械）２０に適用される。油圧ショベル２０は、クローラ式の走行装置を装備した下部走行体２１と、下部走行体２１上に旋回自在に結合された上部旋回体２２とを備える。上部旋回体２２には、前方へ延出するように取り付けられて種々の作業を実施する作業装置２３が設けられ、その左側方に操作者（オペレータ）が搭乗するキャブが設けられる。
【００２３】
作業装置２３は、その基端部が上部旋回体２２に上下揺動自在に支持されるブーム２４と、ブーム２４の先端部に前後揺動自在に支持されるアーム２５と、アーム２５の先端部に取り付けられるアタッチメント装置とを備える。アタッチメント装置はアーム２５に対して着脱自在である。図７では、アーム２５の先端にツインヘッダ３１を装着した状態を記載するとともに、ブレーカ３３を装着した状態も例示する。
【００２４】
ブーム２４及び上部旋回体２２の間には左右一対のブームシリンダ２６が介装され、伸縮動作によりブーム２４を上下方向に駆動する。同様に、ブーム２４及びアーム２５間にはアームシリンダ２７が介装され、アーム２５及びツインヘッダ３１間にはアタッチメントシリンダ２８が介装される。これらのアームシリンダ２７及びアタッチメントシリンダ２８は、伸縮動作によりアーム２５及びツインヘッダ３１をそれぞれ揺動駆動する。また、ツインヘッダ３１には、その先端に設けられた切削ドラムを回転駆動するツインヘッダ用油圧モータ３２が内蔵される。
【００２５】
本実施形態では、アタッチメント装置としてツインヘッダ３１とブレーカ３３とを交換して使用するための油圧回路に焦点を当てて説明する。以下、ブレーカ３３のチゼルを往復駆動するためのアクチュエータをブレーカ用油圧アクチュエータ３４と呼ぶ。
【００２６】
［２．油圧回路構成］
図１に、ツインヘッダ用油圧モータ３２やブレーカ用油圧アクチュエータ３４に供給される作動油を制御するための油圧制御回路を示す。アタッチメント装置側の油圧回路は、図１中のポートＰ1，Ｐ2に接続される。ここでは、アタッチメント装置が取り付けられていない状態の回路が示されている。
【００２７】
第一油圧ポンプ１及び第二油圧ポンプ２は、ツインヘッダ用油圧モータ３２及びブレーカ用油圧アクチュエータ３４をはじめとして、油圧ショベル２０に備えられる各種の油圧アクチュエータの駆動源である。第一油圧ポンプ１から吐出された作動油は、複数の制御弁を内蔵したコントロールバルブユニット１５を介して各種の油圧アクチュエータに供給される。コントロールバルブユニット１５内に設けられる複数の制御弁は、上記の各種油圧アクチュエータに対応して設けられ、図示しない操作レバーの作動量に応じて、油圧アクチュエータに供給される作動油流量や作動油の流通方向を制御する。
【００２８】
図１では図面の簡略化のために、アタッチメント装置側への作動油制御に係るアタッチメント用電磁制御弁４（制御弁）と他の油圧アクチュエータ用電磁制御弁との二種類のみを示しているが、実際には、第一油圧ポンプ１の吐出する作動油で作動するように設定された各種油圧アクチュエータ用の制御弁やその他のバルブがコントロールバルブユニット１５に組み込まれており、コントロールバルブユニット１５を構成するバルブや個数や種類は、図１等に示すものに限定されるものではない。
【００２９】
ここでいう各種油圧アクチュエータ，他の油圧アクチュエータとしては、例えば、ツインヘッダ用油圧モータ３２やブレーカ用油圧アクチュエータ３４の他に、旋回モータ（旋回用油圧アクチュエータ）や右走行モータ及び左走行モータ（左右一対の走行用油圧アクチュエータ），図７に示すブームシリンダ２６，アームシリンダ２７，アタッチメントシリンダ２８等が挙げられる。
【００３０】
以下、油圧ポンプ１からコントロールバルブユニット１５を介してアタッチメント装置に接続される作動油通路のことをベース油圧回路ＣBと呼ぶ。
コントロールバルブユニット１５よりも上流側（第一油圧ポンプ１側）には、ベース油圧回路ＣBから分岐して優先回路ＣPが設けられ、その分岐部には第一優先バルブユニット５（優先弁）が介装される。優先回路ＣPは、コントロールバルブユニット１５を迂回して油圧ポンプ１からの作動油をアタッチメント装置側へ導入するための作動油通路である。また、第一優先バルブユニット５は、優先回路ＣP側の作動油の流量をベース油圧回路ＣB側よりも優先的に確保するためのバルブユニットである。第一優先バルブユニット５の動作は、後述するコントローラ１０（制御手段）によって制御される。
【００３１】
また、第二油圧ポンプ２から吐出された作動油も、図示しないコントロールバルブユニット介して各種の油圧アクチュエータに供給される。油圧ショベル２０に搭載される油圧アクチュエータのうち、アタッチメント装置に供給される作動油は、第一油圧ポンプ１及び第二油圧ポンプ２の両方から供給されるようになっており、第一油圧ポンプ１側の優先回路ＣP及び第二油圧ポンプ２側の優先回路ＣPは下流側で一本に合流している。
コントロールバルブユニット１５よりも下流側（アタッチメント装置が接続される側）には、ベース油圧回路ＣBから分岐してリリーフ回路ＣR，フィルタ回路ＣF及びタンクラインＬTが設けられる。これらの作動油通路はともに、作動油タンク３に接続される。
続いて、本油圧制御回路の詳細な構造について順に説明する。
【００３２】
［２−１．ベース油圧回路］
第一油圧ポンプ１からアタッチメント装置に至るベース油圧回路ＣBは、その途中に介装されたコントロールバルブユニット１５及び第一優先バルブユニット５によって、三種類の部位に分類される。第一油圧ポンプ１から第一優先バルブユニット５までの区間を第一ポンプラインＬB-P1と呼ぶ。第一ポンプラインＬB-P1は、第一油圧ポンプ１の吐出ポートと後述する第一優先バルブユニット５のインポートとに接続される。
【００３３】
第一優先バルブユニット５からコントロールバルブユニット１５までの区間をコンバルラインＬB-CV1と呼ぶ。コンバルラインＬB-CV1は、優先バルブユニット５のコンバル側アウトポートとアタッチメント用電磁制御弁４のインポートとに接続される。
コントロールバルブユニット１５よりもアタッチメント装置側の区間をアタッチラインと呼ぶ。アタッチラインには、第一アタッチラインＬB-A1及び第二アタッチラインＬB-A2の二本の作動油通路が平行に設けられる。
【００３４】
これらの一対の作動油通路は、一方がアタッチメント装置に作動油を供給するものとなり、他方がアタッチメント装置から作動油を排出するものとなる。第一アタッチラインＬB-A1は、アタッチメント用電磁制御弁４の第一アウトポートとアタッチメント装置の一方のポートＰ1とを接続する。また、第二アタッチラインＬB-A2は、アタッチメント用電磁制御弁４の第二アウトポートとアタッチメント装置の他方のポートＰ2とを接続する。
【００３５】
コントロールバルブユニット１５内のアタッチメント用電磁制御弁４は、アタッチメント装置に供給される作動油の流入方向及び流入流量を制御するための制御弁であり、図示しない操作装置への入力量（アタッチメント装置の作動量）に応じてスプールを中立位置ｔ0，第一作動位置ｔ1及び第二作動位置ｔ2の三つの状態に切り換え可能に構成されている。
【００３６】
例えば、アタッチメント用電磁制御弁４のスプールが第一作動位置ｔ1にあるときには、第一アタッチラインＬB-A1がアタッチメント装置に作動油を供給する供給ライン（供給路）となる。また、アタッチメント用電磁制御弁４のスプールが第二作動位置ｔ2にあるときには、第二アタッチラインＬB-A2がアタッチメント装置に作動油を供給する供給ラインとなる。さらに、アタッチメント用電磁制御弁４のスプールが中立位置ｔ0にあるときには、作動油の流れが遮断される。つまり、第一作動位置ｔ1と第二作動位置ｔ2とではアタッチメント装置に供給される作動油の流入方向が逆転する。
【００３７】
アタッチメント用電磁制御弁４内には、スプールが中立位置ｔ0にあるときにセンタバイパスラインＬCに連通するセンタバイパス通路４ｃが設けられている。コントロールバルブユニット１５を構成する全ての制御弁が中立位置ｔ0にあるときには、コントロールバルブユニット１５に導入された作動油は各制御弁のセンタバイパス通路とセンタバイパスラインＬCとを通過して、作動油タンク３に戻る。
【００３８】
［２−２．優先回路］
図１に示すように、優先回路ＣPは三種類の部位、すなわち、合流優先ラインＬPr0と第一優先ラインＬPr1と第二優先ラインＬPr2とを備える。第一優先バルブユニット５には、前述の第一ポンプラインＬB-P1及びコンバルラインＬB-CV1の他に、優先回路ＣPの第一優先ラインＬPr1が接続されている。
【００３９】
第一優先ラインＬPr1は、ベース油圧回路ＣB上の第一優先バルブユニット５からの分岐通路である。第一優先バルブユニット５は、第一優先ラインＬPr1側に予め設定された所定流量が確保されるように、第一油圧ポンプ１の吐出した作動油をコンバルラインＬB-CV1と第一優先ラインＬPr1とに分配する。つまり、第一優先バルブユニット５は、第一優先ラインＬPr1へ優先的に作動油を流通させる機能を持つ。また、優先的な作動油供給が不要である場合には、第一優先ラインＬPr1側への流れを遮断することが可能であり、この遮断用の第一電磁切換弁５ａが第一優先バルブユニット５に内蔵されている。第一電磁切換弁５ａは、コントローラ１０によって制御される二位置切換弁であり、第一優先ラインＬPr1への作動油流通を禁止又は許可する機能を持つ。
【００４０】
第一電磁切換弁５ａの開放時には、第一優先バルブユニット５に流入する作動油流量，作動油圧の大きさに関わらず、所定流量の作動油が第一優先ラインＬPr1側へ優先的に導入され、残りの作動油がコンバルラインＬB-CV1側に導入される。一方、第一電磁切換弁５ａの閉鎖時には、第一優先ラインＬPr1側の流路が閉鎖され、全ての作動油がコンバルラインＬB-CV1側に導入される。
【００４１】
同様に、第二油圧ポンプ２から吐出される作動油は、第二優先バルブユニット６（優先弁）によってコンバルラインＬB-CV2側と第二優先ラインＬPr2側とに分配される。第一優先ラインＬPr1及び第二優先ラインＬPr2はダブルチェック弁１６を介して合流し、合流優先ラインＬPr0を構成している。第二優先バルブユニット６の内部構成は第一優先バルブユニット５と同様であり、第二電磁切換弁６ａを備える。
【００４２】
第二電磁切換弁６ａの開放時には、第二優先バルブユニット６に流入する作動油流量，作動油圧の大きさに関わらず、所定流量の作動油が第二優先ラインＬPr2側へ優先的に導入され、残りの作動油がコンバルラインＬB-CV2側に導入される。一方、第二電磁切換弁６ａの閉鎖時には、第二優先ラインＬPr2側の流路が閉鎖され、全ての作動油がコンバルラインＬB-CV2側に導入される。
合流優先ラインＬPr0は、逆流防止用のチェック弁１７を介して第一アタッチラインＬB-A1に合流する。また、合流優先ラインＬPr0はチェック弁１７の上流側で作動油タンク３に連通する優先用タンクラインＬPrTに分岐している。
【００４３】
優先用タンクラインＬPrT上には、優先用電磁切換弁１８が介装される。優先用電磁切換弁１８はコントローラ１０によって制御される二位置切換弁であり、合流優先ラインＬPr0側から作動油タンク３側への作動油の流通を禁止又は許可する機能を持つ。なお図１に示すように、優先用電磁切換弁１８には、作動油の流通を許容するスプール位置と、作動油タンク３側から合流優先ラインＬPr0側への作動油の流通のみを許容するスプール位置（チェック弁として機能するスプール位置）とが設けられている。
【００４４】
［２−３．リリーフ回路］
リリーフ回路ＣRは、アタッチメント装置を高圧から保護するための作動油通路である。リリーフ回路ＣRは第一アタッチラインＬB-A1から分岐して形成され、作動油タンク３に連通する。第一アタッチラインＬB-A1とリリーフ回路ＣRとの分岐点は、第一アタッチラインＬB-A1と合流優先ラインＬPr0との分岐点よりもアタッチメント装置側に位置する。
【００４５】
リリーフ回路ＣRには、リリーフ圧が変更可能であるリリーフバルブユニット７（リリーフ弁）が介装される。リリーフバルブユニット７には、リリーフ用電磁切換弁７ａ，高圧リリーフ弁７ｂ及び低圧リリーフ弁７ｃが備えられる。高圧リリーフ弁７ｂが作動するリリーフ圧及び低圧リリーフ弁７ｃが作動するリリーフ圧はともに予め設定されており、少なくとも高圧リリーフ弁７ｂのリリーフ圧（例えば32[MPa]）が低圧リリーフ弁７ｃのリリーフ圧（例えば19[MPa]）よりも高く設定される。
【００４６】
リリーフバルブユニット７の内部には、第一アタッチラインＬB-A1側の作動油をリリーフするための二系統の流路が形成されている。一方の流路には高圧リリーフ弁７ｂが介装され、他方の流路には低圧リリーフ弁７ｃが介装される。また、リリーフ用電磁切換弁７ａは、コントローラ１０によって制御され、低圧リリーフ弁７ｃ側への流路を開放又は閉鎖する二位置切換弁である。例えば、リリーフ用電磁切換弁７ａが閉位置にあるときには高圧リリーフ弁７ｂが機能し、リリーフ用電磁切換弁７ａが開位置にあるときには低圧リリーフ弁７ｃが機能する。
なお、高圧リリーフ弁７ｂのスプールの一端には、低圧リリーフ弁７ｃの下流圧がパイロット圧として導入されている。これにより、低圧リリーフ弁７ｃ側から作動油がリリーフされているときには、高圧リリーフ弁７ｂが開放されないようになっている。
【００４７】
［２−４．タンクライン］
タンクラインＬTは、アタッチメント装置側の戻り油を、フィルタ回路ＣFやコントロールバルブユニット１５を経由させることなく作動油タンク３に戻すための戻り油専用通路であり、第二アタッチラインＬB-A2から分岐して形成される。タンクラインＬTと第二アタッチラインＬB-A2との分岐点は、フィルタ回路ＣFと第二アタッチラインＬB-A2との分岐点よりもアタッチメント装置側に位置する。
【００４８】
タンクラインＬTには、リターン用電磁切換弁１１（リターン用切換弁）が介装される。リターン用電磁切換弁１１は、コントローラ１０によって制御される二位置切換弁である。リターン用電磁切換弁１１には、作動油の流通を許容するスプール位置と、作動油タンク３側からアタッチメント装置側への作動油の吸い込みのみを許容するスプール位置（チェック弁として機能するスプール位置）とが設けられている。
例えば、リターン用電磁切換弁１１のスプールが前者の位置にあるときには第二アタッチラインＬB-A2から作動油タンク３側に作動油が排出され、後者の位置にあるときにはタンクラインＬTからの作動油排出が禁止される。
【００４９】
［２−５．フィルタ回路］
フィルタ回路ＣFは、第二アタッチラインＬB-A2から分岐して形成され、作動油タンク３に連通する作動油通路である。フィルタ回路ＣFには作動油中に含まれる異物，コンタミ等を濾過するためのフィルタ８が介装される。また、フィルタ回路ＣFのフィルタ８よりも上流側には第一フィルタ用電磁切換弁１２（フィルタ用切換弁）が介装され、フィルタ８よりも下流側には第二フィルタ用電磁切換弁１３（第二フィルタ用切換弁）が介装される。第一フィルタ用電磁切換弁１２及び第二フィルタ用電磁切換弁１３はともにコントローラ１０によって制御される二位置切換弁である。
【００５０】
第一フィルタ用電磁切換弁１２には、作動油の流通を許容するスプール位置と、作動油タンク３側への流通のみを禁止するスプール位置（チェック弁として機能するスプール位置）とが設けられる。一方、第二フィルタ用電磁切換弁１３には、作動油の流通を許容するスプール位置と、作動油タンク３側への流通のみを許容するスプール位置（チェック弁として機能するスプール位置）とが設けられる。これにより、作動油がフィルタ８に流入する方向を規定することが可能となっている。
【００５１】
また、第一フィルタ用電磁切換弁１２と第二フィルタ用電磁切換弁１３との間には、フィルタ用圧力制御弁１４がフィルタ８と並列に設けられる。フィルタ用圧力制御弁１４は、フィルタ８よりも上流側（第一フィルタ用電磁切換弁１２）の作動油圧が所定圧以上となったときに、その作動油圧をフィルタ８の下流側（第二フィルタ用電磁切換弁１３）に逃がして圧力を解放する機能を持つ。
【００５２】
［３．制御構成］
コントローラ１０（制御手段）は、周知のマイクロプロセッサやROM，RAM等を集積したLSIデバイスや組み込み電子デバイスとして提供される電子制御装置である。このコントローラ１０は、油圧ショベル２０に装着されているアタッチメント装置の種類に応じて、本油圧制御回路上のバルブを制御する。コントローラ１０の制御対象となるバルブは、第一電磁切換弁５ａ，第二電磁切換弁６ａ，優先用電磁切換弁１８，リリーフ用電磁切換弁７ａ，リターン用電磁切換弁１１，第一フィルタ用電磁切換弁１２，第二フィルタ用電磁切換弁１３である。
【００５３】
アタッチメントの種類は、油圧ショベル２０のオペレータによって手動で入力される。本実施形態では、図２に示すように、コントローラ１０の入力側にモニタコンソール１９が接続されており、アタッチメント装置の選択情報（ブレーカ３３やツインヘッダ３１等）及び作動情報（ツインヘッダ３１選択時のツインヘッダ３１の正転作動又は逆転作動）が入力されるようになっている。なお、アタッチメント装置の選択情報及び作動情報を検出するセンサを用い、センサで検出された情報をコントローラ１０に入力する構成としてもよい。
【００５４】
まず、コントローラ１０は、アタッチメント装置の選択情報及び作動情報に基づく以下の三通りの制御パターンを持つ。
（１）ブレーカ使用時制御
（２）ツインヘッダ正転使用時制御
（３）ツインヘッダ逆転使用時制御
これらの制御のそれぞれにおいて、コントローラ１０は本油圧制御回路上のバルブを個別に制御する。
【００５５】
［３−１．優先回路の制御］
ブレーカ使用時制御時及びツインヘッダ逆転使用時には、コントローラ１０が第一電磁切換弁５ａ及び第二電磁切換弁６ａをともに閉鎖し、優先用電磁切換弁１８を開放する。これにより、優先回路ＣPを介したアタッチメント装置への優先供給が停止し、作動油はコントロールバルブユニット１５を介してアタッチメント装置へ導入される。つまり、第一油圧ポンプ１から吐出された作動油は全てコンバルラインＬB-CV1側へ流入し、第一優先ラインＬPr1側へは流入しない。
【００５６】
一方、ツインヘッダ正転使用時には、コントローラ１０が第一電磁切換弁５ａ及び第二電磁切換弁６ａをともに開放し、優先用電磁切換弁１８を閉鎖する。優先用電磁切換弁１８は、作動油タンク３側への作動油流通が禁止されたチェック弁として機能する。これにより、優先回路ＣPを介したアタッチメント装置への優先供給がなされる。したがって、第一油圧ポンプ１及び第二油圧ポンプ２の吐出流量，吐出圧に関わらず、所定量の作動油がアタッチメント装置へ導入される。
【００５７】
［３−２．リリーフ回路の制御］
ブレーカ使用時制御時及びツインヘッダ逆転使用時には、コントローラ１０がリリーフ用電磁切換弁７ａを制御して低圧リリーフ弁７ｃ側への流路を開放させる。これにより、リリーフ回路ＣRの作動油は低圧リリーフ弁７ｃを通過して作動油タンク３に排出される。
一方、ツインヘッダ正転使用時には、コントローラ１０がリリーフ用電磁切換弁７ａを制御して低圧リリーフ弁７ｃ側への流路を閉鎖させる。これにより、リリーフ回路ＣRの作動油は高圧リリーフ弁７ｂを通過して作動油タンク３に排出される。したがって、作動油のリリーフ圧はブレーカ使用時制御時及びツインヘッダ逆転使用時と比較して高圧となる。
【００５８】
［３−３．タンクラインの制御］
ブレーカ使用時及びツインヘッダ逆転使用時には、コントローラ１０がリターン用電磁切換弁１１を制御して、タンクラインＬTを閉鎖させる。リターン用電磁切換弁１１は、作動油タンク３側への作動油流通が禁止されたチェック弁として機能する。これにより、タンクラインＬTを介した作動油のリターンが停止する。
一方、ツインヘッダ正転使用時には、コントローラ１０がリターン用電磁切換弁１１を制御して、タンクラインＬTを開放させる。これにより、第二アタッチラインＬB-A2の作動油の一部がタンクラインＬTを介して作動油タンク３にリターンされる。
【００５９】
［３−４．フィルタ回路の制御］
第一フィルタ用電磁切換弁１２及び第二フィルタ用電磁切換弁１３は、上記の三通りの制御のそれぞれで異なる制御態様を持つ。
まず、ブレーカ使用制御時には、コントローラ１０が第一フィルタ用電磁切換弁１２及び第二フィルタ用電磁切換弁１３をともに開放する。これにより、第二アタッチラインＬB-A2の作動油の一部がフィルタ回路ＣFを流通し、フィルタ８で濾過される。
また、ツインヘッダ正転使用時には、コントローラ１０が第一フィルタ用電磁切換弁１２及び第二フィルタ用電磁切換弁１３をともに閉鎖する。この場合、フィルタ回路ＣFが完全に封鎖され、フィルタ８による作動油の濾過が行われない。
【００６０】
さらに、ツインヘッダ逆転使用時には、コントローラ１０が第一フィルタ用電磁切換弁１２を閉鎖するとともに、第二フィルタ用電磁切換弁１３を開放する。つまり、第二アタッチラインＬB-A2側からの作動油の流入が禁止される一方、作動油タンク３側からの作動油の流入（吸い込み）が許容される。
コントローラ１０で実施される制御内容をまとめて図３に示す。
【００６１】
［４．作用］
［４−１．ブレーカ使用時］
ブレーカ３３の使用時には、図３に示すように、コントローラ１０が優先用電磁切換弁１８，リリーフ用電磁切換弁７ａ，第一フィルタ用電磁切換弁１２及び第二フィルタ用電磁切換弁１３にオン信号を送信する。これを受けて、優先用電磁切換弁１８，リリーフ用電磁切換弁７ａ，第一フィルタ用電磁切換弁１２及び第二フィルタ用電磁切換弁１３はそれぞれ開位置にスプールが移動する。また、残りのソレノイド式バルブである第一電磁切換弁５ａ，第二電磁切換弁６ａ及びリターン用電磁切換弁１１は、初期位置としての閉位置に設定される。したがって、図４に太線で示す作動油の流路が形成される。
【００６２】
図４では、アタッチメント用電磁制御弁４，第一電磁切換弁５ａ，第二電磁切換弁６ａ，リリーフ用電磁切換弁７ａ，リターン用電磁切換弁１１，第一フィルタ用電磁切換弁１２，第二フィルタ用電磁切換弁１３，優先用電磁切換弁１８のそれぞれのスプールの位置を識別しやすいように灰色トーンを貼り付けてある。また、図４はリリーフ回路ＣRが作動している状態を示している。図５及び図６についても図４と同様である。
【００６３】
第一電磁切換弁５ａが閉位置にあるため、第一油圧ポンプ１から第一ポンプラインＬB-P1に吐出された作動油は全てコンバルラインＬB-CV1へと導入され、アタッチメント用電磁制御弁４を経由して第一アタッチラインＬB-A1に導入される。第一アタッチラインＬB-A1に供給される作動油量は、アタッチメント用電磁制御弁４の開度に依存し、すなわち図示しない操作装置へ入力された入力量に依存する。
【００６４】
アタッチメント用電磁制御弁４からブレーカ用油圧アクチュエータ３４に向かう第一アタッチラインＬB-A1の途中にリリーフ回路ＣRが設けられているので、ブレーカ用油圧アクチュエータ３４の供給ラインとなる第一アタッチラインＬB-A1内の圧力が高まったときには作動油がリリーフ回路ＣR側に流出する。リリーフ回路ＣRは、リリーフ用電磁切換弁７ａが開位置にあるので低圧リリーフ弁７ｃが機能し、第一アタッチラインＬB-A1内の圧力が低圧リリーフ弁７ｃの設定圧に達したときに作動油がリリーフされて、作動油タンク３に戻る。一方、リリーフされなかった作動油は、ブレーカ用油圧アクチュエータ３４の第一ポートＰ1に導入され、ブレーカ３３の駆動に用いられる。
【００６５】
また、タンクラインＬTが閉鎖されるとともにフィルタ回路ＣFの第一フィルタ用電磁切換弁１２及び第二フィルタ用電磁切換弁１３のスプール位置が開位置にあるため、ブレーカ用油圧アクチュエータ３４の第二ポートＰ2から流出した作動油の一部はフィルタ回路ＣFを通過する。これにより、ブレーカ３３から排出された作動油がフィルタ回路ＣF上に設けられたフィルタ８で濾過される。
【００６６】
また、ブレーカ用油圧アクチュエータ３４の第二ポートＰ2から流出した作動油の一部はコントロールバルブユニット１５側にも導入され、コントロールバルブユニット１５のタンクポートから作動油タンク３側へ排出される。なお、コントロールバルブユニット１５を経由する作動油も図示しないフィルタを通過し、作動油タンク３に戻る。
このように、ブレーカ３３からの戻り油は、フィルタ回路ＣF及びコントロールバルブユニット１５経由の二経路を通って作動油タンク３に戻る。
【００６７】
［４−２．ツインヘッダ正転使用時］
ツインヘッダ３１の正転使用時には、図３に示すように、コントローラ１０が第一電磁切換弁５ａ，第二電磁切換弁６ａ及びリターン用電磁切換弁１１にオン信号を送信する。これを受けて、第一電磁切換弁５ａ，第二電磁切換弁６ａ及びリターン用電磁切換弁１１はそれぞれ開位置にスプールが移動する。また、残りのソレノイド式バルブである優先用電磁切換弁１８，リリーフ用電磁切換弁７ａ，第一フィルタ用電磁切換弁１２及び第二フィルタ用電磁切換弁１３は、初期位置としての閉位置に設定される。したがって、図５に太線で示す作動油の流路が形成される。
【００６８】
第一電磁切換弁５ａが開位置にあるため、第一油圧ポンプ１から第一ポンプラインＬB-P1に吐出された作動油のうちの所定量の作動油が第一優先ラインＬPr1側に導入され、残りの作動油がコンバルラインＬB-CV1へと導入される。また、第二電磁切換弁６ａも開位置にあるため、第二油圧ポンプ２から第二ポンプラインＬB-P2に吐出された作動油のうちの所定量の作動油が第二優先ラインＬPr2側に導入され、残りの作動油がコンバルラインＬB-CV2へと導入される。
【００６９】
これにより、第一優先ラインＬPr1の作動油と第二優先ラインＬPr2の作動油とがダブルチェック弁１６で合流し、合流優先ラインＬPr0へと導かれる。合流優先ラインＬPr0の作動油は、第一アタッチラインＬB-A1に導入される。また、コンバルラインＬB-CV1の作動油は、ブレーカ３３の使用時と同様に、アタッチメント用電磁制御弁４を介して第一アタッチラインＬB-A1に導入される。この結果、ツインヘッダ用油圧モータ３２の第一ポートＰ1には、ベース油圧回路ＣBを介して導入される作動油と、優先回路ＣPを介して導入される作動油とを合計した流量の作動油が流れ込むことになり、大量の作動油が確実に供給される。
【００７０】
このとき、アタッチメント用電磁制御弁４からツインヘッダ用油圧モータ３２に向かう第一アタッチラインＬB-A1の途中にはリリーフ回路ＣRが設けられているので、ツインヘッダ用油圧モータ３２の供給ラインとなる第一アタッチラインＬB-A1の圧力が高まったときにはリリーフ回路ＣRにより圧力が解放される。リリーフ回路ＣRはリリーフ用電磁切換弁７ａが閉位置にあるので高圧リリーフ弁７ｂが機能し、第一アタッチラインＬB-A1内の圧が高圧リリーフ弁７ｂの設定圧に達したときに作動油がリリーフされて作動油タンク３に戻る。
【００７１】
作動油はツインヘッダ用油圧モータ３２の第一ポートＰ1に供給され、ツインヘッダ３１は正転方向に駆動される。その後、ツインヘッダ用油圧モータ３２からの戻り油は第二ポートＰ2から排出される。このとき、タンクラインＬTのリターン用電磁切換弁１１のスプール位置が開位置にあるため、戻り油の一部はタンクラインＬTを通って作動油タンク３に戻る。また、フィルタ回路ＣFの第一フィルタ用電磁切換弁１２のスプール位置が閉位置にあるため、戻り油はフィルタ回路ＣFには導入されない。
また、戻り油の一部はコントロールバルブユニット１５側にも導入され、コントロールバルブユニット１５のタンクポートから作動油タンク３側へ排出される。なお、コントロールバルブユニット１５を経由する作動油も図示しないフィルタを通過し、作動油タンク３に戻る。
【００７２】
［４−３．ツインヘッダ逆転使用時］
ツインヘッダ３１の逆転使用時には、図３に示すように、コントローラ１０が優先用電磁切換弁１８，リリーフ用電磁切換弁７ａ及び第二フィルタ用電磁切換弁１３にオン信号を送信する。これを受けて、優先用電磁切換弁１８，リリーフ用電磁切換弁７ａ及び第二フィルタ用電磁切換弁１３はそれぞれ開位置にスプールが移動する。また、残りのソレノイド式バルブである第一電磁切換弁５ａ，第二電磁切換弁６ａ，リターン用電磁切換弁１１及び第一フィルタ用電磁切換弁１２は、初期位置としての閉位置に設定される。したがって、図６に太線で示す作動油の流路が形成される。
【００７３】
この場合、ブレーカ３３の使用時と同様に第一電磁切換弁５ａが閉位置にあるため、第一油圧ポンプ１から第一ポンプラインＬB-P1に吐出された作動油は全てコンバルラインＬB-CV1へと導入される。一方、ツインヘッダ用油圧モータ３２の回転方向が正転使用時とは逆方向であるため、作動油はアタッチメント用電磁制御弁４を経由して第二アタッチラインＬB-A2に導入される。第二アタッチラインＬB-A2に供給される作動油量は、アタッチメント用電磁制御弁４の開度に依存し、すなわち図示しない操作装置へ入力された入力量に依存する。
【００７４】
アタッチメント用電磁制御弁４からツインヘッダ用油圧モータ３２に向かう第二アタッチラインＬB-A2の途中には、タンクラインＬT及びフィルタ回路ＣFが設けられている。だが、この制御時にはタンクラインＬTに介装されたリターン用電磁切換弁１１及びフィルタ回路ＣFに介装された第一フィルタ用電磁切換弁１２がともに閉鎖されているため、作動油はツインヘッダ用油圧モータ３２の第二ポートＰ2に導入され、ツインヘッダ３１の駆動に用いられる。
【００７５】
また、作動油はツインヘッダ用油圧モータ３２の第一ポートＰ1から排出された作動油は、第一アタッチラインＬB-A1を流通する。この第一アタッチラインＬB-A1の途中にはリリーフ回路ＣRが設けられているので、第一アタッチラインＬB-A1内の圧力が高まったときには作動油がリリーフ回路ＣR側に流出する。リリーフ回路ＣRは、リリーフ用電磁切換弁７ａが開位置にあるので低圧リリーフ弁７ｃが機能し、第一アタッチラインＬB-A1内の圧力が低圧リリーフ弁７ｃの設定圧に達したときに作動油がリリーフされて、作動油タンク３に戻る。一方、リリーフされなかった作動油は、コントロールバルブユニット１５側に導入され、コントロールバルブユニット１５のタンクポートから作動油タンク３側へ排出される。なお、コントロールバルブユニット１５を経由する作動油も図示しないフィルタを通過し、作動油タンク３に戻る。
【００７６】
なお、第一アタッチラインＬB-A1から分岐した優先回路ＣP上に介装されたチェック弁１７により、優先回路ＣP側への戻り油の逆流が防止される。
また、このときフィルタ回路ＣFでは、第二フィルタ用電磁切換弁１３のスプール位置が開位置となっているため、作動油タンク３側からの作動油の流入が許容される。つまり、フィルタ回路ＣFを介した作動油の吸い込みが許容され、吸い込まれた作動油は第二アタッチラインＬB-A2に導入される。
【００７７】
［５．効果］
［５−１．優先回路とリリーフ回路との連動］
本実施形態の油圧制御回路では、ベース油圧回路ＣBと優先回路ＣPとの両方から大量の作動油が供給されるツインヘッダ正転使用時制御において、リリーフバルブユニット７のリリーフ圧を高圧側に変更している。また、ブレーカ使用時制御やツインヘッダ逆転使用時制御のように、アタッチメント装置に供給される作動油の流量が少ない状態では、リリーフバルブユニット７のリリーフ圧を低圧にしている。このように、優先回路ＣPを通ってアタッチメント装置に供給される作動油の流量に応じてリリーフ圧を変更することにより、作動油の過昇圧を確実に防止することができ、油圧回路を保護することができる。
【００７８】
また、ツインヘッダ３１の正転使用時には作動油が優先回路ＣPを通って優先的にツインヘッダ３１に供給されるとともに、リリーフ回路ＣRは高圧リリーフ弁７ｂが機能する。これにより、大流量かつ高圧の作動油が要求されるツインヘッダ３１の用時には、優先供給によって作動油流量及び作動油圧を確保することができる。
一方、比較的流量を必要としないブレーカ３３に対してはコントロールバルブユニット１５を経由する通常のルートで作動油が供給されるとともに、リリーフ回路ＣRは低圧リリーフ弁７ｃが機能する。これにより、低めの作動油圧を維持することができ、ブレーカ本体の破損を防止することができる。
【００７９】
このように、優先回路側からの作動油供給を必要とするアタッチメント装置の使用時にはリリーフ圧が高められるため、アタッチメント装置を適切に作動させることができる。一方、優先回路側からの作動油供給を必要としないアタッチメント装置の使用時にはリリーフ圧を低めることができ、アタッチメント装置の破損を防止することができる。つまり、必要とする作動油の流量及び圧力が異なるブレーカ３３とツインヘッダ３１の使用に一台の油圧ショベルの一つの油圧制御回路で対応することができる。
【００８０】
また、コントローラ１０が自動的に各ソレノイド式バルブのスプール位置を切り換えるだけで、（Ａ）高圧リリーフ＋フィルタなし、（Ｂ）低圧リリーフ＋フィルタあり、の何れかの状態を選択することができ、従来のようにリリーフバルブの圧力の設定を作業者に負担させないですむとともに、ブレーカ３３専用のフィルタを備えることができるという利点がある。このように、コントローラ１０を用いることで、確実かつ自動的に優先弁とリリーフ弁との作動状態を連動させることができる。
【００８１】
［５−２．タンクライン］
優先回路ＣP側からの作動油供給を必要とするアタッチメント装置の使用時にはタンクラインＬTのリターン用電磁切換弁１１が開放されるため、戻り油を速やかに作動油タンク３へ戻すことができる。一方、優先回路ＣP側からの作動油供給を必要としないアタッチメント装置の使用時にはタンクラインＬTのリターン用電磁切換弁１１が閉鎖されるため、コントロールバルブユニット１５を介した一般的なルートで戻り油を作動油タンク３へ戻すことができる。
【００８２】
［５−３．フィルタ回路］
フィルタ８は、ブレーカ３３の使用時にのみ作動油が流通するフィルタ回路ＣF上に設けられてブレーカ３３の使用時にのみ機能するようになっているので、ブレーカ３３の使用時に作動油に混入する粉塵をフィルタ８で濾過することができる。また、ツインヘッダ３１の使用時には作動油はフィルタ８の介装されたフィルタ回路ＣFを流通しないので、ツインヘッダ３１の使用時にまでもフィルタ８が機能するという無駄を省くことができる。ツインヘッダ３１はその構造上、粉塵が入らないようになっているのでフィルタ８は不要である。
【００８３】
このように、アタッチメント装置の種類に応じて第一フィルタ用電磁切換弁１２及び第二フィルタ用電磁切換弁１３を制御することで、コンタミの侵入しやすいアタッチメント装置の使用時にのみフィルタ８で作動油を濾過することができ、油圧機器の破損を防止することができる。また、コンタミの侵入しにくいアタッチメント装置の使用時にはフィルタ８を不使用状態とすることができる。
さらに、フィルタ８の下流側（作動油タンク３側）に第二フィルタ用電磁切換弁１３を設けることにより、作動油がベース油圧回路を流通しているときには、アタッチメント装置の停止時や作動開始時における作動油の吸い込みを許容することができ、油圧ショックを防止することができる。
【００８４】
［６．変形例］
以上、本発明の実施形態について説明したが、本発明は、上記実施形態に限定されず、本発明の趣旨を逸脱しない範囲で種々変更することが可能である。
例えば、上記実施形態では、第一優先バルブユニット５及び第二優先バルブユニット６に第一電磁切換弁５ａ及び第二電磁切換弁６ａを備えたものを例示したが、第一優先バルブユニット５及び第二優先バルブユニット６の構成はこれに限定されず、各油圧ポンプ１，２の吐出する作動油を所定流量だけ優先的に優先回路ＣPへ導くものであればよい。
【００８５】
また、上記実施形態では、アタッチメント装置の選択情報及び作動情報がオペレータによって手動で入力されるものを例示したが、これらの情報を検出するセンサを油圧ショベル２０に取り付けて、センサで検出された情報をコントローラ１０に入力する構成としてもよい。これにより、自動的に油圧制御回路を切り換えることができ、アタッチメント装置の交換時にオペレータが油圧制御回路の切り換えを意識する必要がなく、作業機械の使い勝手をより高めることができる。
【００８６】
また、上記実施形態では、ツインヘッダ３１とブレーカ３３とを交換して使用する場合について説明したが、使用するアタッチメント装置の種類はこれに限定されない。大流量且つ高圧の作動油で作動する第一アタッチメント装置と、前記第一油圧アクチュエータよりも小流量且つ低圧の作動油で作動する第二アタッチメント装置とを交換して使用することができる油圧ショベル２０であれば、本制御回路を適用することが可能である。
また、上記実施形態では、油圧ショベル２０に適用した場合について説明したが、上述したようなアタッチメント装置を交換して使用することができる他の作業機械（例えば、クレーン等）に適宜変更して適用してももちろんよい。
【符号の説明】
【００８７】
４  アタッチメント用電磁制御弁（制御弁）
５  第一優先バルブユニット（優先弁）
５ａ  第一電磁切換弁
６  第二優先バルブユニット（優先弁）
６ａ  第二電磁切換弁
７  リリーフバルブユニット（リリーフ弁）
７ａ  リリーフ用電磁切換弁
７ｂ  高圧リリーフ弁
７ｃ  低圧リリーフ弁
８  フィルタ
１０  コントローラ（制御手段）
１１  リターン用電磁切換弁（リターン用切換弁）
１２  第一フィルタ用電磁切換弁（フィルタ用切換弁）
１３  第二フィルタ用電磁切換弁（第二フィルタ用切換弁）
１４  フィルタ用圧力制御弁
１５  コントロールバルブユニット
１６  ダブルチェック弁
１７  チェック弁
１８  優先用電磁切換弁
１９  モニタコンソール
２０  油圧ショベル（作業機械）
３１  ツインヘッダ
３２  ツインヘッダ用油圧モータ
３３  ブレーカ
３４  ブレーカ用油圧アクチュエータ
ＣB  ベース油圧回路
ＬB-P1  第一ポンプライン
ＬB-CV1  コンバルライン
ＬB-A1  第一アタッチライン
ＬB-A2  第二アタッチライン
ＬB-CV2  コンバルライン
ＣP  優先回路
ＬPr0  合流優先ライン
ＬPr1  第一優先ライン
ＬPr2  第二優先ライン
ＬPrT  優先用タンクライン
ＣR  リリーフ回路
ＣF  フィルタ回路
ＬT  タンクライン
【図１】
0005498325.tif 000002
【図２】
0005498325.tif 000003
【図３】
0005498325.tif 000004
【図４】
0005498325.tif 000005
【図５】
0005498325.tif 000006
【図６】
0005498325.tif 000007
【図７】
0005498325.tif 000008
【図８】
0005498325.tif 000009
【図９】
0005498325.tif 000010